(57)【要約】【課題】夜間の造林地において、造林地に植栽した針葉樹や広葉樹の苗木・若木・成木の樹木の一部を点々と発光させて、草食性動物に警戒心を起こさせ、草食性動物が樹木に接近するのを忌避するようにして、食害を未然に防止することを課題とする。【解決手段】造林地の各樹木の幹・枝等の一部に蓄光体を順次付与して成り、蓄光体としては、蓄光材を含有した樹脂溶液を樹木に直接塗着して形成するか、または蓄光材を含有した樹脂溶液を少なくとも片面にコーティングした短冊を樹木の一部に吊着して形成する。【選択図】　図１
2004113219.tif 000002
【特許請求の範囲】
【請求項１】
造林地に植栽した樹木の一部に蓄光体を付与することを特徴とする造林樹木の食害防止法。
【請求項２】
蓄光体として、蓄光材を含有した樹脂溶液を樹木の一部に塗着する請求項１に記載の造林樹木の食害防止法。
【請求項３】
蓄光体として、蓄光材を含有した樹脂溶液を少なくとも片面にコーティングした短冊を樹木の一部に吊着する請求項１に記載の造林樹木の食害防止法。
【発明の詳細な説明】
【０００１】
【発明の属する技術分野】
本発明は、造林地に植栽した針葉樹や広葉樹の苗木・若木・成木（以下、単に樹木という）を主として夜間に活動するニホンジカ・カモシカ等の草食性動物による摂食被害（以下、単に食害という）から防止する方法に関する。
【０００２】
【従来の技術】
従来、この種樹木の食害防止対策としては、樹木全体に忌避剤を散布したり、樹木の少なくとも幹部分を不織布・ネット・合成樹脂板・金網等で以て包囲して物理的に遮蔽することが行われている。しかし、これら従来技術によるときは、草食性動物が警戒心を起こすことなく樹木に容易に接近することができ、食害を未然に防止することができなかった。
【０００３】
【発明が解決しようとする課題】
本発明は、夜間の造林地において、草食性動物に警戒心を起こさせて、草食性動物が樹木に接近するのを忌避するようにして、食害を未然に防止することを課題とする。
【０００４】
【課題を解決するための手段】
本発明は、草食性動物が一般的に昼間には森林や草原の木陰や巣に隠れていて、夜間にえさを求めて活発に活動することに着目してなしたものであり、造林地に植栽した樹木の一部に蓄光体を付与することを特徴とする（請求項１）。
【０００５】
この手段によれば、夜間の造林地において、各樹木の一部が蓄光体によって発光するから、造林地一帯には点々と発光する光景が現出する。このような光景は夜間に活動する草食性動物に警戒心を起こさせる。よって、草食性動物が樹木に接近するのを忌避し、食害が未然に防止される。
【０００６】
この発明において、蓄光体としては、蓄光材を含有した樹脂溶液を各樹木の一部に塗着する（請求項２）か、または蓄光材を含有した樹脂溶液を少なくとも片面にコーティングした短冊を用いて、これを樹木の一部に吊着する（請求項３）ことが好ましい。
【０００７】
ここで、蓄光材とは、太陽光を受けるとそのエネルギーを蓄え暗くなると発光する素材を意味する。
【０００８】
【発明の実施の形態】
本発明の実施の形態を図面を参照して説明する。
【０００９】
図１に示す第１の実施の形態は、透明な樹脂塗料に蓄光材の微粉末を混入した蓄光透明樹脂塗料を用い、これを所要の容器に入れて運搬し、造林地の樹木の一部、例えば幹Ｔａの一部に順次塗着して、各樹木に蓄光材Ａ１を付与したものである。
この場合、各樹木の塗着箇所や塗着数は、夜間の造林地においていずれの方向から見ても、蓄光体が点々と発光する光景が現出するようにすればよく、特に限定されるものではない。また、塗着手段としては、造林地の地形、樹木の大きさ、塗着箇所に応じて刷毛塗り又はスプレーを選択して採用することができる。
【００１０】
図２に示す第２の実施の形態は、上記蓄光透明樹脂塗料を片面にコーティングした短冊を用いて、この短冊の一部に設けた紐・針金等の取付け具で以て造林地の樹木の枝Ｔｂに順次吊着して、各樹木に蓄光体Ａ２を付与したものである。
この場合、蓄光体Ａ２は樹木の大きさによっては幹に施すこともあり、また吊着数は一本の樹木に少なくとも一箇所でよい。また、短冊の発光部分は、片面にしたが、両面にすることもある。
【００１１】
上述の実施の形態において、透明な樹脂塗料としては、透明な樹脂を溶剤・油・水等に溶かしたもので、一般的なものとして、セラニック・クリヤラッカー・油ワニス・水性ワニス等を使用することができる。透明度の高い樹脂としては、ニトロセルロース・ポリプロピレン・塩化ビニル・ポリスチレン等の他、生分解性樹脂のポリ乳酸等があり、より透明度の高い樹脂としては、光学分野で使用されるポリメチルメタクリレート・ポリカーボネート等があり、これらを適宜選択した用いることができる。
【００１２】
また、蓄光材としては、例えば、ストロンチウムアルミネート等のアルミン塩蓄光体、硫化カルシウム・硫化亜鉛・硫化カドミウム等の硫化物蓄光体を用いることができ、これらの中でも発光時間を考慮すると、長時間発光タイプのストロンチウムアルミネート等のアルミン塩蓄光材が特に好ましい。
【００１３】
さらに、短冊の素材としては、金属箔・金属板・樹脂板・フィルム・織布・不織布等を適宜選択して用いることができる。これらの中でも環境面を考慮すると、綿・レーヨン・ポリ乳酸等の生分解性繊維で構成した織布又は不織布が好ましい。というのは、一定年数が経過して発光効果が弱くなって放置しても、自然に分解するからである。また、短冊に施す蓄光透明樹脂塗料のコーティング方法としては、短冊の素材の材質に応じて、塗布法・浸漬法・真空蒸着法・物理蒸着法・化学蒸着法等を任意に選択して用いることができる。
【００１４】
ところで、蓄光体Ａ１，Ａ２の大きさとしては、特に限定されるものではないが、少なくとも縦１０ｃｍ程度、横１０ｃｍ程度あれば十分であり、その形状としては、長方形を図示したが、これに限定されるものではなく、円形・長方形・三角形・多角形等の一定形状他、任意の形状でもよい。
【００１５】
【実施例】
【００１６】
（実施例１）
塩化ビニル系クリヤラッカー（商品名：ビニローゼ、大日本塗料株式会社製）５００ｇにストロンチウムアルミネートのアルミン塩蓄光顔料ＳｒＡｌ２　Ｏ　３：Ｅｕ，Ｄｙ（商品名：ＳＧ−Ｇ１５，サン・ユニット・カンパニー製）平均粒径１５μｍの微粉末７０ｇを混入して均一になるように攪拌し、ビニローゼ薄め液（大日本塗料株式会社製）２５０ｇで薄めて蓄光透明樹脂溶液を得た。
上記蓄光透明樹脂溶液を用いて、各樹木の幹の適所に刷毛にて所望の大きさに順次塗着して、樹木に蓄光体を付与した。
【００１７】
（実施例２）
実施例１で作製した蓄光透明樹脂溶液１００ｇを、生分解性樹脂のポリ乳酸繊維で構成した縦１０ｃｍ×横２０ｃｍの長方形のスパンボンド不織布（目付１００ｇ／ｍ２　，厚み０．４３ｍｍ）の片面に、塗膜厚み１５０μｍ〜３００μｍになるようにローラコーティングして１５分間自然乾燥して、片面に発光部分を有する短冊を作製した。
この短冊の一部に取付け具を取着して、この取付け具で以て短冊を各樹木の枝に順次吊着して、樹木に蓄光体を付与した。
【００１８】
ところで、上記蓄光透明樹脂溶液の発光効果を確認するために、短冊の蓄光部分を太陽光に３０分間当てた後、暗所でその発光を輝度計（商品名ＬＳ−１００，ミノルタ株式会社製）で測定したところ、２４０分間にわたって１０ｍｃｄ／ｍ２　以上の輝度が得られた。これは、人間の肉眼で光を感じることができる輝度として十分であることが確認できた。
【００１９】
【発明の効果】
本発明によるときは、夜間の造林地において、各樹木の一部が蓄光体によって発光するから、造林地一帯に点々と発光する光景を現出することができる。よって、夜間に活動する草食性動物に警戒心を起こさせ、樹木への接近を忌避させることができ、食害を未然に防止することができる。
【００２０】
また、蓄光材を含有した樹脂溶液を用いて、これを各樹木の一部に塗着して蓄光体を形成するようにすると、造林地の各樹木の所望箇所に手数を要することなく蓄光体を極めて容易に付与することができる。
【００２１】
さらに、蓄光材を含有した樹脂溶液を少なくとも片面にコーティングした短冊を用いて、これを各樹木の一部に吊着して蓄光体を形成するようにすると、短冊が風によって揺れ動き、蓄光体がチカチカと点滅するように発光するので、より一層効果的である。
【図面の簡単な説明】
【図１】第１の実施の形態に係る食害防止法を適用した樹木の状態を示す概略説明図である。
【図２】第２の実施の形態に係る食害防止法を適用した樹木の状態を示す概略説明図である。
【符号の説明】
Ａ１，Ａ２・・・蓄光体
Ｔａ・・・幹
Ｔｂ・・・枝
【図１】
2004113219.tif 000003
【図２】
2004113219.tif 000004